(57)【要約】【課題】複数の出力ジョブが実行される場合におけるユーザーの操作の手間を軽減すると共に、複数の出力ジョブをユーザーの所望する順序で実行可能な画像処理装置、及び画像出力方法を提供すること。【解決手段】画像処理装置は、画像データを出力する複数種類の出力ジョブＡ１１〜Ａ１６から任意の出力ジョブを選択する選択操作を複数回受付可能な受付処理部と、画像データを取得する取得処理部と、前記取得処理部によって取得される画像データを前記選択操作によって選択された前記出力ジョブ各々の共通の出力対象として設定する設定処理部と、前記設定処理部によって前記共通の出力対象が設定された前記出力ジョブ各々を前記受付処理部による受付順に実行する実行処理部と、を備える。【選択図】図４
2018074530.tif 000002
【特許請求の範囲】
【請求項１】
画像データを出力する複数種類の出力ジョブから任意の前記出力ジョブを選択する選択操作を複数回受付可能な受付処理部と、
画像データを取得する取得処理部と、
前記取得処理部によって取得される画像データを前記選択操作によって選択された前記出力ジョブ各々の共通の出力対象として設定する設定処理部と、
前記設定処理部によって前記共通の出力対象が設定された前記出力ジョブ各々を前記受付処理部による受付順に実行する実行処理部と、
を備える画像処理装置。
【請求項２】
前記受付処理部は、前記選択操作によって選択された前記出力ジョブが受付順に列挙されるジョブリストを含む受付画面上で前記選択操作を受け付け、
前記設定処理部は、前記ジョブリストに含まれる前記出力ジョブ各々の前記共通の出力対象を設定し、
前記実行処理部は、前記ジョブリストに含まれる前記出力ジョブ各々を前記ジョブリストにおける列挙順に実行し、
前記画像処理装置は、ユーザー操作に応じて前記ジョブリストを編集する編集処理部を備える請求項１に記載の画像処理装置。
【請求項３】
前記画像処理装置は、前記ジョブリストを記憶部に記憶させる記憶処理部を備え、
前記受付処理部は、ユーザー操作に応じて前記記憶部に記憶されている前記ジョブリストを前記受付画面に表示させ、
前記設定処理部は、前記受付画面に表示される前記ジョブリストに含まれる前記出力ジョブ各々の前記共通の出力対象を設定し、
前記実行処理部は、前記受付画面に表示される前記ジョブリストに含まれる前記出力ジョブ各々を実行し、
前記編集処理部は、前記受付画面に表示される前記ジョブリストを編集する、
請求項２に記載の画像処理装置。
【請求項４】
前記取得処理部は、前記ジョブリストに含まれる先頭の前記出力ジョブの種類に応じて特定される取得方法で画像データを取得する、
請求項２又は３に記載の画像処理装置。
【請求項５】
前記取得処理部は、前記出力ジョブが含まれていない空の前記ジョブリストに最初の前記出力ジョブが登録された場合に、最初の前記出力ジョブの種類に応じて特定される取得方法で画像データを取得する、
請求項２〜４のいずれかに記載の画像処理装置。
【請求項６】
前記実行処理部は、前記出力ジョブの実行が中断された場合は、前記ジョブリストにおける実行が中断された前記出力ジョブの次の前記出力ジョブを実行すると共に、前記出力ジョブの実行の中断を報知する、
請求項２〜５のいずれかに記載の画像処理装置。
【請求項７】
原稿から画像データを読み取る画像読取部、及び画像データに基づいて画像を形成する画像形成部のいずれか一方又は両方を備える、
請求項１〜６のいずれかに記載の画像処理装置。
【請求項８】
画像データを出力する複数種類の出力ジョブから任意の前記出力ジョブを選択する選択操作を複数回受付可能な受付ステップと、
画像データを取得する取得ステップと、
前記取得ステップによって取得される画像データを前記選択操作によって選択された前記出力ジョブ各々の共通の出力対象として設定する設定ステップと、
前記設定ステップによって前記共通の出力対象が設定された前記出力ジョブ各々を前記受付処理部による受付順に実行する実行ステップと、
を含む画像出力方法。
【発明の詳細な説明】
【技術分野】
【０００１】
本発明は、画像データを出力する画像処理装置、及び画像出力方法に関する。
【背景技術】
【０００２】
複合機のような画像処理装置では、ユーザーの操作に応じて、コピージョブ、及びファクスジョブなどの画像データを出力する出力ジョブが実行される。また、ユーザーによる一度の操作で、コピージョブ、及びファクスジョブの両方を実行可能な構成が関連技術として知られている（特許文献１参照）。
【先行技術文献】
【特許文献】
【０００３】
【特許文献１】特開２０００−３０７８３４号公報
【発明の概要】
【発明が解決しようとする課題】
【０００４】
しかしながら、上記関連技術では、一度の操作で実行される出力ジョブがコピージョブ及びファクスジョブに固定されている。そのため、ユーザーは、他の出力ジョブを含む複数の出力ジョブを画像処理装置に実行させる場合に、出力ジョブごとに個別に実行操作を行う必要がある。また、一度の操作で実行されるコピージョブ及びファクスジョブの実行順序が固定される場合には、いずれかの出力ジョブの実行を優先したいユーザーの要望に応えることができない。
【０００５】
本発明の目的は、複数の出力ジョブが実行される場合におけるユーザーの操作の手間を軽減すると共に、複数の出力ジョブをユーザーの所望する順序で実行可能な画像処理装置、及び画像出力方法を提供することにある。
【課題を解決するための手段】
【０００６】
本発明の一の局面に係る画像処理装置は、受付処理部と、取得処理部と、設定処理部と、実行処理部とを備える。前記受付処理部は、画像データを出力する複数種類の出力ジョブから任意の前記出力ジョブを選択する選択操作を複数回受付可能である。前記取得処理部は、画像データを取得する。前記設定処理部は、前記取得処理部によって取得される画像データを前記選択操作によって選択された前記出力ジョブ各々の共通の出力対象として設定する。前記実行処理部は、前記設定処理部によって前記共通の出力対象が設定された前記出力ジョブ各々を前記受付処理部による受付順に実行する。
【０００７】
本発明の他の局面に係る画像出力方法は、受付ステップと、取得ステップと、設定ステップと、実行ステップとを含む。前記受付ステップでは、画像データを出力する複数種類の出力ジョブから任意の前記出力ジョブを選択する選択操作が複数回受け付けられる。前記取得ステップでは、画像データが取得される。前記設定ステップでは、前記取得ステップによって取得される画像データが前記選択操作によって選択された前記出力ジョブ各々の共通の出力対象として設定される。前記実行ステップでは、前記設定ステップによって前記共通の出力対象が設定された前記出力ジョブ各々が前記受付処理部による受付順に実行される。
【発明の効果】
【０００８】
本発明によれば、複数の出力ジョブが実行される場合におけるユーザーの操作の手間を軽減すると共に、複数の出力ジョブをユーザーの所望する順序で実行可能な画像処理装置、及び画像出力方法が実現される。
【図面の簡単な説明】
【０００９】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の操作表示部の構成を示す図である。
【図４】図４は、本発明の実施形態に係る画像処理装置の表示部に表示される受付画面の一例を示す図である。
【図５】図５は、本発明の実施形態に係る画像処理装置で実行される画像出力処理の一例を示すフローチャートである。
【発明を実施するための形態】
【００１０】
以下、添付図面を参照しながら、本発明の実施形態について説明する。なお、以下の実施形態は、本発明を具体化した一例であって、本発明の技術的範囲を限定するものではない。
【００１１】
［画像処理装置１０の構成］
まず、図１〜図３を参照しつつ、本発明の実施形態に係る画像処理装置１０の構成について説明する。ここで、図１は画像処理装置１０の構成を示す断面模式図である。また、図３は操作表示部６の構成を示す平面図である。
【００１２】
画像処理装置１０は、原稿から画像データを読み取るスキャン機能、及び画像データに基づいて画像を形成するプリント機能と共に、コピー機能、及びファクス機能などの複数の機能を有する複合機である。なお、本発明が適用される画像処理装置は前記複合機に限られない。例えば、本発明は、スキャナー装置、プリンター装置、ファクシミリ装置、又はコピー機などの画像処理装置に適用可能である。また、本発明は、パーソナルコンピューターのような画像処理装置に適用されてもよい。
【００１３】
図１及び図２に示されるように、画像処理装置１０は、ＡＤＦ（自動原稿搬送装置）１、画像読取部２、画像形成部３、給紙部４、制御部５、操作表示部６、通信部７、接続部８、及び記憶部９を備える。
【００１４】
ＡＤＦ１は、原稿セット部、複数の搬送ローラー、原稿押さえ、及び排紙部を備え、画像読取部２によって読み取られる原稿を搬送する。画像読取部２は、原稿台、光源、複数のミラー、光学レンズ、及びＣＣＤを備え、原稿から画像データを読み取ることが可能である。
【００１５】
画像形成部３は、画像読取部２で読み取られた画像データに基づいて、電子写真方式でカラー又はモノクロの画像を形成することが可能である。また、画像形成部３は、外部のパーソナルコンピューター等の情報処理装置から入力された画像データに基づいて、画像を形成することも可能である。具体的に、画像形成部３は、Ｃ（シアン）、Ｍ（マゼンタ）、Ｙ（イエロー）、及びＫ（ブラック）に対応する複数の画像形成ユニット、光走査装置、中間転写ベルト、二次転写ローラー、定着装置、及び排紙トレイを備える。給紙部４は、画像形成部３にシートを供給する。画像形成部３では、給紙部４から供給されるシートにカラー又はモノクロの画像が形成されて、画像形成後のシートが前記排紙トレイに排出される。なお、画像形成部３は、インクジェット方式などの他の画像形成方式により画像を形成するものであってもよい。
【００１６】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１７】
通信部７は、インターネット、及びＬＡＮ（ローカルエリアネットワーク）などの通信ネットワークを介して接続される外部の通信機器との間で、有線又は無線によるデータ通信を実行可能な通信インターフェイスである。
【００１８】
接続部８は、ＵＳＢ規格に基づいてデータの入出力が可能な外部の電子機器が接続されるＵＳＢ接続端子を有する。例えば、接続部８には、ＵＳＢ規格に基づいてデータの書き込み及び読み出しが可能な外部記憶装置８１が接続される。例えば、外部記憶装置８１はＵＳＢメモリーである。なお、図２では、画像処理装置１０の構成要素ではない外部記憶装置８１が破線で記載されている。
【００１９】
記憶部９は、ＳＳＤ（ソリッドステートドライブ）又はＨＤＤ（ハードディスクドライブ）などの記憶装置である。例えば、記憶部９には、画像読取部２によって読み取られた画像データが記憶される。なお、記憶部９は、制御部５の前記ＥＥＰＲＯＭ等であってもよい。
【００２０】
操作表示部６は、画像処理装置１０におけるユーザーインターフェイスである。図２及び図３に示されるように、操作表示部６は、表示部６１、操作検出部６２、及びハードキー６３を備える。
【００２１】
表示部６１は、制御部５からの制御指示に応じて各種の情報を表示する。例えば、表示部６１は液晶ディスプレーである。図３に示されるように、表示部６１は、画面が表示される表示面６１１を有する。
【００２２】
操作検出部６２は、表示部６１へのユーザーの操作を検出することが可能な所謂タッチパネルである。例えば、操作検出部６２は、静電容量方式によりユーザーの指が表示面６１１に接触した場合におけるユーザーの指と表示面６１１との接触位置を検出する。なお、操作検出部６２は、抵抗膜方式などの他の検出方式を用いてユーザーの指と表示面６１１との接触を検出してもよい。また、操作検出部６２は、表示部６１へのタッチペンによる操作を検出可能であってもよい。
【００２３】
ハードキー６３は、ユーザーの操作に応じて制御部５に各種の情報を入力する。例えば、図３に示されるように、ハードキー６３は、電源キー６３１、スタートキー６３２、及びテンキー６３３等を含む。電源キー６３１は、画像処理装置１０の電源の投入又は遮断に用いられる。スタートキー６３２は、制御部５へのジョブの実行指示の入力に用いられる。テンキー６３３は、制御部５への数字情報等の入力に用いられる。
【００２４】
画像処理装置１０では、操作表示部６におけるユーザーの操作に応じて、画像データを出力する出力ジョブが実行される。具体的に、前記出力ジョブには、コピージョブ、プリントジョブ、ファイル送信ジョブ、ファクス送信ジョブ、保存ジョブ、及びメール送信ジョブが含まれる（図４参照）。
【００２５】
ここで、前記コピージョブは、画像読取部２によって読み取られる画像データを印刷するジョブである。また、前記プリントジョブは、記憶部９に記憶されている画像データを印刷するジョブである。また、前記ファイル送信ジョブは、画像読取部２によって読み取られる画像データ、又は記憶部９に記憶されている画像データを、前記通信ネットワークを介して接続される外部の通信装置に送信するジョブである。また、前記ファクス送信ジョブは、画像読取部２によって読み取られる画像データ、又は記憶部９に記憶されている画像データをファクス通信によって送信するジョブである。また、前記保存ジョブは、画像読取部２によって読み取られる画像データ、又は記憶部９に記憶されている画像データを、接続部８に接続されている外部記憶装置８１に保存するジョブである。また、前記メール送信ジョブは、画像読取部２によって読み取られる画像データ、又は記憶部９に記憶されている画像データを含む電子メールを送信するジョブである。
【００２６】
ところで、ユーザーによる一度の操作で、前記コピージョブ、及び前記ファクス送信ジョブの両方を実行可能な構成が関連技術として知られている。
【００２７】
しかしながら、上記関連技術では、一度の操作で実行される前記出力ジョブが前記コピージョブ、及び前記ファクス送信ジョブに固定されている。そのため、ユーザーは、他の前記出力ジョブを含む複数の前記出力ジョブを上記関連技術に係る構成に実行させる場合に、前記出力ジョブごとに個別に実行操作を行う必要がある。また、一度の操作で実行される前記コピージョブ、及び前記ファクス送信ジョブの実行順序が固定される場合には、いずれかの前記出力ジョブの実行を優先したいユーザーの要望に応えることができない。
【００２８】
これに対し、本発明の実施形態に係る画像処理装置１０では、以下に説明するように、複数の前記出力ジョブが実行される場合におけるユーザーの操作の手間を軽減すると共に、複数の前記出力ジョブをユーザーの所望する順序で実行することが可能である。
【００２９】
具体的に、制御部５の前記ＲＯＭには、前記ＣＰＵに後述の画像出力処理（図５のフローチャート参照）を実行させるための画像出力プログラムが予め記憶されている。なお、前記画像出力プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等にインストールされるものであってもよい。
【００３０】
そして、制御部５は、図２に示されるように、受付処理部５１、編集処理部５２、記憶処理部５３、取得処理部５４、設定処理部５５、及び実行処理部５６を含む。具体的に、制御部５は、前記ＣＰＵを用いて前記ＲＯＭに記憶されている前記画像出力プログラムを実行する。これにより、制御部５は、受付処理部５１、編集処理部５２、記憶処理部５３、取得処理部５４、設定処理部５５、及び実行処理部５６として機能する。
【００３１】
受付処理部５１は、複数種類の前記出力ジョブから任意の前記出力ジョブを選択する選択操作を複数回受付可能である。
【００３２】
具体的に、受付処理部５１は、操作表示部６におけるユーザー操作に応じて、図４に示される受付画面Ｇ１０を表示部６１に表示させる。そして、受付処理部５１は、受付画面Ｇ１０上で前記選択操作を受け付ける。
【００３３】
受付画面Ｇ１０は、図４に示されるように、ジョブリストＧ１１、操作アイコンＡ１１〜Ａ１６、及び操作アイコンＡ２１〜Ａ２６を含む。
【００３４】
操作アイコンＡ１１〜Ａ１６は、前記選択操作に用いられるアイコンである。操作アイコンＡ１１〜Ａ１６各々は、前記出力ジョブ各々に対応している。具体的に、操作アイコンＡ１１は前記コピージョブに、操作アイコンＡ１２は前記プリントジョブに、それぞれ対応している。また、操作アイコンＡ１３は前記ファイル送信ジョブに、操作アイコンＡ１４は前記ファクス送信ジョブに、それぞれ対応している。また、操作アイコンＡ１５は前記保存ジョブに、操作アイコンＡ１６は前記メール送信ジョブに、それぞれ対応している。操作アイコンＡ１１〜Ａ１６のいずれかへの操作が、本発明における前記選択操作の一例である。
【００３５】
ジョブリストＧ１１には、前記選択操作によって選択された前記出力ジョブが、受付画面Ｇ１０における前記選択操作の受付順に列挙される。例えば、受付処理部５１は、操作アイコンＡ１１〜Ａ１６のいずれかへの操作が行われた場合に、操作が行われたアイコンに対応する前記出力ジョブの実行条件を設定する設定画面を受付画面Ｇ１０に表示させる。例えば、操作アイコンＡ１１への操作に応じて表示される前記設定画面では、カラー印刷機能の使用の有無、両面印刷機能の使用の有無などの前記実行条件を設定可能である。また、操作アイコンＡ１６への操作に応じて表示される前記設定画面では、電子メールの送信先、添付される画像データのファイルの種類などの前記実行条件を設定可能である。そして、受付処理部５１は、前記設定画面における設定操作が終了した場合に、前記設定画面で前記実行条件が設定された前記出力ジョブをジョブリストＧ１１の最後尾に登録する。例えば、ジョブリストＧ１１には、前記実行条件が異なる同種の前記出力ジョブ各々を登録することが可能である。なお、受付画面Ｇ１０は、ジョブリストＧ１１を含まないものであってもよい。
【００３６】
操作アイコンＡ２１〜Ａ２６は、ジョブリストＧ１１の記憶、呼出、及び編集に用いられるアイコンである。具体的に、操作アイコンＡ２１はジョブリストＧ１１の記憶部９への記憶に用いられる。また、操作アイコンＡ２２は記憶部９に記憶されている他のジョブリストＧ１１の呼び出しに用いられる。また、操作アイコンＡ２３〜Ａ２４はジョブリストＧ１１内における前記出力ジョブの順序の変更に用いられる。また、操作アイコンＡ２５は、ジョブリストＧ１１内における前記出力ジョブ各々の前記実行条件の変更に用いられる。また、操作アイコンＡ２６は、ジョブリストＧ１１に登録された前記出力ジョブのジョブリストＧ１１からの削除に用いられる。なお、受付画面Ｇ１０は、操作アイコンＡ２１〜Ａ２６の一部又は全部を含まないものであってもよい。
【００３７】
編集処理部５２は、ユーザー操作に応じてジョブリストＧ１１を編集する。具体的に、編集処理部５２は、操作アイコンＡ２３〜Ａ２６のいずれかへの操作に応じて、受付画面Ｇ１０に表示されるジョブリストＧ１１を編集する。
【００３８】
例えば、編集処理部５２は、操作アイコンＡ２３への操作が行われた場合に、ジョブリストＧ１１内のいずれか一つの前記出力ジョブに対する操作を受け付ける。そして、編集処理部５２は、いずれか一つの前記出力ジョブに対する操作が行われると、操作された前記出力ジョブのジョブリストＧ１１内における順位（順番）を一つ上昇させる。
【００３９】
また、編集処理部５２は、操作アイコンＡ２４への操作が行われた場合に、ジョブリストＧ１１内のいずれか一つの前記出力ジョブに対する操作を受け付ける。そして、編集処理部５２は、いずれか一つの前記出力ジョブに対する操作が行われると、操作された前記出力ジョブのジョブリストＧ１１内における順位（順番）を一つ下降させる。
【００４０】
また、編集処理部５２は、操作アイコンＡ２５への操作が行われた場合に、ジョブリストＧ１１内のいずれか一つの前記出力ジョブに対する操作を受け付ける。そして、編集処理部５２は、いずれか一つの前記出力ジョブに対する操作が行われると、操作された前記出力ジョブに対応する前記設定画面を表示させて、前記設定画面上での操作に応じて、操作された前記出力ジョブの前記実行条件を変更する。
【００４１】
また、編集処理部５２は、操作アイコンＡ２６への操作が行われた場合に、ジョブリストＧ１１内のいずれか一つの前記出力ジョブに対する操作を受け付ける。そして、編集処理部５２は、いずれか一つの前記出力ジョブに対する操作が行われると、操作された前記出力ジョブをジョブリストＧ１１から削除する。
【００４２】
記憶処理部５３は、受付画面Ｇ１０に表示されているジョブリストＧ１１を記憶部９に記憶させる。具体的に、記憶処理部５３は、操作アイコンＡ２１への操作に応じて、受付画面Ｇ１０に表示されているジョブリストＧ１１を記憶部９に記憶させる。
【００４３】
例えば、記憶処理部５３は、操作アイコンＡ２１への操作が行われた場合に、受付画面Ｇ１０に表示されているジョブリストＧ１１の識別に用いられる識別情報の入力画面を受付画面Ｇ１０に表示させる。そして、記憶処理部５３は、前記入力画面で入力された前記識別情報と受付画面Ｇ１０に表示されているジョブリストＧ１１とを対応付けて、記憶部９に記憶させる。
【００４４】
また、受付処理部５１は、ユーザー操作に応じて、記憶部９に記憶されているジョブリストＧ１１を受付画面Ｇ１０に表示させる。具体的に、受付処理部５１は、操作アイコンＡ２２への操作が行われた場合に、受付画面Ｇ１０上に呼び出すジョブリストＧ１１の選択に用いられる選択画面を受付画面Ｇ１０に表示させる。例えば、前記選択画面では、記憶部９に記憶されているジョブリストＧ１１各々の前記識別情報が選択可能に表示される。そして、受付処理部５１は、前記選択画面においていずれか一つの前記識別情報が選択された場合に、選択された前記識別情報に対応するジョブリストＧ１１を受付画面Ｇ１０に表示させる。
【００４５】
なお、記憶処理部５３は、以下に述べる実行操作が行われた場合に、自動で、又はユーザー操作に応じて、受付画面Ｇ１０に表示されているジョブリストＧ１１を記憶部９に記憶させてもよい。例えば、記憶処理部５３は、自動で受付画面Ｇ１０に表示されているジョブリストＧ１１を記憶部９に記憶させる場合に、前記識別情報に替えて、現在の時刻を示す時刻情報をジョブリストＧ１１に対応付けることが考えられる。
【００４６】
取得処理部５４は、画像データを取得する。
【００４７】
例えば、取得処理部５４は、受付画面Ｇ１０に表示されているジョブリストＧ１１に含まれる前記出力ジョブ各々の実行を指示する実行操作が行われた場合に、画像データを取得する。例えば、取得処理部５４は、スタートキー６３２が操作された場合に、前記実行操作が行われたと判断する。なお、受付画面Ｇ１０上に、前記実行操作に用いられる操作アイコンが表示されていてもよい。
【００４８】
例えば、取得処理部５４は、ジョブリストＧ１１に含まれる先頭の前記出力ジョブの種類に応じて特定される取得方法で、画像データを取得する。例えば、取得処理部５４は、ジョブリストＧ１１に含まれる先頭の前記出力ジョブが、前記コピージョブ、前記ファクス送信ジョブ、前記保存ジョブ、又は前記メール送信ジョブである場合は、画像読取部２を用いてＡＤＦ１によって搬送される原稿又は前記原稿台に載置された原稿から画像データを読み取る読取処理を実行して、画像データを取得する。また、取得処理部５４は、ジョブリストＧ１１に含まれる先頭の前記出力ジョブが、前記プリントジョブ、又は前記ファイル送信ジョブである場合は、記憶部９の予め定められた記憶領域から画像データを読み出して、画像データを取得する。
【００４９】
なお、取得処理部５４は、ジョブリストＧ１１に含まれる先頭の前記出力ジョブの種類に関わりなく、常に前記読取処理を実行して画像データを取得してもよい。また、取得処理部５４は、前記出力ジョブが含まれていない空のジョブリストＧ１１に最初の前記出力ジョブが登録された場合に、最初の前記出力ジョブの種類に応じて特定される取得方法で画像データを取得してもよい。
【００５０】
設定処理部５５は、取得処理部５４によって取得される画像データを、前記選択操作によって選択された前記出力ジョブ各々の共通の出力対象として設定する。具体的に、設定処理部５５は、受付画面Ｇ１０に表示されるジョブリストＧ１１に含まれる前記出力ジョブ各々の前記共通の出力対象を設定する。
【００５１】
例えば、設定処理部５５は、前記実行操作が行われて取得処理部５４により画像データが取得された場合に、前記共通の出力対象を設定する。なお、設定処理部５５は、取得処理部５４による画像データの取得が空のジョブリストＧ１１への最初の前記出力ジョブの登録時に行われる場合は、前記出力ジョブがジョブリストＧ１１に登録されるごとに、登録される前記出力ジョブの出力対象を設定してもよい。
【００５２】
実行処理部５６は、設定処理部５５によって前記共通の出力対象が設定された前記出力ジョブ各々を、受付処理部５１による受付順に実行する。具体的に、実行処理部５６は、受付画面Ｇ１０に表示されるジョブリストＧ１１に含まれる前記出力ジョブ各々を、ジョブリストＧ１１における列挙順に実行する。
【００５３】
また、実行処理部５６は、前記出力ジョブの実行が中断された場合は、ジョブリストＧ１１における実行が中断された前記出力ジョブの次の前記出力ジョブを実行すると共に、前記出力ジョブの実行の中断を報知する。例えば、実行処理部５６は、前記出力ジョブの実行が中断された旨を示すメッセージを表示部６１に表示させる。例えば、前記コピージョブ、及び前記プリントジョブは、現像剤切れ、印刷用紙切れ、シートの搬送路における紙詰まりの発生、及び予め定められたエラーの発生などの場合に、実行が中断される。また、前記ファイル送信ジョブ、前記ファクス送信ジョブ、及び前記メール送信ジョブは、送信に失敗した場合に実行が中断される。
【００５４】
なお、制御部５には、編集処理部５２、及び記憶処理部５３のいずれか一方又は両方が含まれていなくてもよい。
【００５５】
［画像出力処理］
以下、図５を参照しつつ、画像処理装置１０において制御部５により実行される画像出力処理の手順の一例と共に、本発明の画像出力方法について説明する。ここで、ステップＳ１１、Ｓ１２・・・は、制御部５により実行される処理手順（ステップ）の番号を表している。例えば、制御部５は、操作表示部６において受付画面Ｇ１０の表示を指示するユーザー操作が行われた場合に、前記画像出力処理を実行する。
【００５６】
＜ステップＳ１１＞
まず、ステップＳ１１において、制御部５は、表示部６１に受付画面Ｇ１０を表示させる。具体的に、制御部５は、前記出力ジョブが含まれていない空のジョブリストＧ１１を含む受付画面Ｇ１０を表示させる。そして、制御部５は、受付画面Ｇ１０上で前記選択操作を受け付ける。ここに、ステップＳ１１が、本発明における受付ステップの一例であって、制御部５の受付処理部５１により実行される。
【００５７】
＜ステップＳ１２＞
ステップＳ１２において、制御部５は、ステップＳ１１で表示された受付画面Ｇ１０上で、前記選択操作が行われたか否かを判断する。具体的に、制御部５は、受付画面Ｇ１０上で操作アイコンＡ１１〜Ａ１６のいずれかへの操作が行われた場合に、前記選択操作が行われたと判断する。
【００５８】
ここで、制御部５は、前記選択操作が行われたと判断すると（Ｓ１２のＹｅｓ側）、処理をステップＳ１３に移行させる。また、前記選択操作が行われていなければ（Ｓ１２のＮｏ側）、制御部５は、処理をステップＳ１４に移行させる。
【００５９】
＜ステップＳ１３＞
ステップＳ１３において、制御部５は、前記選択操作によって選択された前記出力ジョブをジョブリストＧ１１に登録する。
【００６０】
具体的に、制御部５は、操作が行われたアイコンに対応する前記出力ジョブの前記設定画面を受付画面Ｇ１０に表示させる。そして、制御部５は、前記設定画面における設定操作が終了した場合に、前記設定画面で前記実行条件が設定された前記出力ジョブをジョブリストＧ１１の最後尾に登録する。
【００６１】
＜ステップＳ１４＞
ステップＳ１４において、制御部５は、ステップＳ１１で表示された受付画面Ｇ１０上で、ジョブリストＧ１１を記憶させ、又は編集する編集操作が行われたか否かを判断する。具体的に、制御部５は、操作アイコンＡ２１、及び操作アイコンＡ２３〜Ａ２６のいずれかへの操作が行われた場合に、前記編集操作が行われたと判断する。
【００６２】
ここで、制御部５は、前記編集操作が行われたと判断すると（Ｓ１４のＹｅｓ側）、処理をステップＳ１５に移行させる。また、前記編集操作が行われていなければ（Ｓ１４のＮｏ側）、制御部５は、処理をステップＳ１６に移行させる。
【００６３】
＜ステップＳ１５＞
ステップＳ１５において、制御部５は、前記編集操作に応じて、ジョブリストＧ１１を記憶させ、又は編集する。
【００６４】
具体的に、制御部５は、操作アイコンＡ２１への操作が行われた場合は、前記入力画面を受付画面Ｇ１０に表示させる。そして、制御部５は、前記入力画面で入力された前記識別情報と受付画面Ｇ１０に表示されているジョブリストＧ１１とを対応付けて、記憶部９に記憶させる。ここで、ステップＳ１５における処理のうち、ジョブリストＧ１１を記憶させる処理は、制御部５の記憶処理部５３により実行される。
【００６５】
また、制御部５は、操作アイコンＡ２３への操作が行われた場合は、操作アイコンＡ２３への操作後に選択された前記出力ジョブのジョブリストＧ１１内における順位を一つ上昇させる。また、制御部５は、操作アイコンＡ２４への操作が行われた場合は、操作アイコンＡ２４への操作後に選択された前記出力ジョブのジョブリストＧ１１内における順位を一つ下降させる。また、制御部５は、操作アイコンＡ２５への操作が行われた場合は、操作アイコンＡ２５への操作後に選択された前記出力ジョブに対応する前記設定画面を表示させて、前記設定画面上の操作に応じて、選択された前記出力ジョブの前記実行条件を変更する。また、制御部５は、操作アイコンＡ２６への操作が行われた場合は、操作アイコンＡ２６への操作後に選択された前記出力ジョブをジョブリストＧ１１から削除する。ここで、ステップＳ１５における処理のうち、ジョブリストＧ１１を編集する処理は、制御部５の編集処理部５２により実行される。
【００６６】
＜ステップＳ１６＞
ステップＳ１６において、制御部５は、ステップＳ１１で表示された受付画面Ｇ１０上で、ジョブリストＧ１１を呼び出す呼出操作が行われたか否かを判断する。具体的に、制御部５は、操作アイコンＡ２２への操作が行われた場合に、前記呼出操作が行われたと判断する。
【００６７】
ここで、制御部５は、前記呼出操作が行われたと判断すると（Ｓ１６のＹｅｓ側）、処理をステップＳ１７に移行させる。また、前記呼出操作が行われていなければ（Ｓ１６のＮｏ側）、制御部５は、処理をステップＳ１８に移行させる。
【００６８】
＜ステップＳ１７＞
ステップＳ１７において、制御部５は、前記呼出操作に応じて、記憶部９に記憶されているいずれか一つのジョブリストＧ１１を受付画面Ｇ１０に表示させる。
【００６９】
具体的に、制御部５は、操作アイコンＡ２２への操作が行われた場合に、前記選択画面を受付画面Ｇ１０に表示させる。そして、制御部５は、前記選択画面においていずれか一つの前記識別情報が選択された場合に、選択された前記識別情報に対応するジョブリストＧ１１を受付画面Ｇ１０に表示させる。
【００７０】
なお、前記画像出力処理において、ステップＳ１４〜ステップＳ１７の処理は省略されてもよい。
【００７１】
＜ステップＳ１８＞
ステップＳ１８において、制御部５は、受付画面Ｇ１０に表示されているジョブリストＧ１１に含まれる前記出力ジョブ各々の実行を指示する前記実行操作が行われたか否かを判断する。具体的に、制御部５は、スタートキー６３２が操作された場合に、前記実行操作が行われたと判断する。
【００７２】
ここで、制御部５は、前記実行操作が行われたと判断すると（Ｓ１８のＹｅｓ側）、処理をステップＳ１９に移行させる。また、前記実行操作が行われていなければ（Ｓ１８のＮｏ側）、制御部５は、処理をステップＳ１２に移行させる。そして、制御部５は、前記実行操作が行われるまでの間、受付画面Ｇ１０上で前記選択操作、前記編集操作、又は前記呼出操作が行われるのを待ち受ける。
【００７３】
なお、制御部５は、ステップＳ１８で前記実行操作が行われたと判断された場合に、自動で、又はユーザー操作に応じて、受付画面Ｇ１０に表示されているジョブリストＧ１１を記憶部９に記憶させてもよい。
【００７４】
＜ステップＳ１９＞
ステップＳ１９において、制御部５は、画像データを取得する。ここに、ステップＳ１９の処理が、本発明における取得ステップの一例であって、制御部５の取得処理部５４により実行される。
【００７５】
具体的に、制御部５は、受付画面Ｇ１０に表示されているジョブリストＧ１１に含まれる先頭の前記出力ジョブの種類に応じて特定される取得方法で、画像データを取得する。これにより、ユーザーは、ステップＳ１１で表示される空のジョブリストＧ１１に最初に登録される前記出力ジョブを選ぶ際に、画像データの取得方法も選択することが可能である。
【００７６】
なお、ステップＳ１９の処理は、ステップＳ１１で表示される空のジョブリストＧ１１に最初の前記出力ジョブが登録されたタイミングで実行されてもよい。この場合、制御部５は、最初に登録された前記出力ジョブの種類に応じて特定される取得方法で画像データを取得する。これにより、ユーザーは、空のジョブリストＧ１１に任意の前記出力ジョブ各々を登録する場合に、画像処理装置１０に前記読取処理などの画像データの取得処理を実行させている間、最初に登録された前記出力ジョブの後に登録される前記出力ジョブ各々の前記実行条件を設定することが可能である。
【００７７】
＜ステップＳ２０＞
ステップＳ２０において、制御部５は、ステップＳ１９で取得された画像データを、受付画面Ｇ１０に表示されているジョブリストＧ１１に含まれる前記出力ジョブ各々の前記共通の出力対象として設定する。ここに、ステップＳ２０の処理が、本発明における設定ステップの一例であって、制御部５の設定処理部５５により実行される。
【００７８】
＜ステップＳ２１＞
ステップＳ２１において、制御部５は、ステップＳ２０で前記共通の出力対象が設定された前記出力ジョブ各々を、受付画面Ｇ１０に表示されているジョブリストＧ１１に含まれる前記出力ジョブ各々の列挙順に実行する。ここに、ステップＳ２１の処理が、本発明における実行ステップの一例であって、制御部５の実行処理部５６により実行される。
【００７９】
＜ステップＳ２２＞
ステップＳ２２において、制御部５は、前記出力ジョブ各々の実行が終了したか否かを判断する。
【００８０】
ここで、制御部５は、前記出力ジョブ各々の実行が終了したと判断すると（Ｓ２２のＹｅｓ側）、前記画像出力処理を終了させる。また、前記出力ジョブ各々の実行が終了していなければ（Ｓ２２のＮｏ側）、制御部５は、処理をステップＳ２３に移行させる。
【００８１】
＜ステップＳ２３＞
ステップＳ２３において、制御部５は、前記出力ジョブ各々の実行が中断したか否かを判断する。
【００８２】
ここで、制御部５は、前記出力ジョブ各々の実行が中断したと判断すると（Ｓ２３のＹｅｓ側）、処理をステップＳ２４に移行させる。また、前記出力ジョブ各々の実行が中断していなければ（Ｓ２３のＮｏ側）、制御部５は、処理をステップＳ２２に移行させて、前記出力ジョブ各々の実行の終了、又は中断を待ち受ける。
【００８３】
＜ステップＳ２４＞
ステップＳ２４において、制御部５は、ジョブリストＧ１１における実行が中断された前記出力ジョブの次の前記出力ジョブを実行すると共に、前記出力ジョブの実行の中断を報知する。例えば、制御部５は、前記出力ジョブの実行が中断された旨を示すメッセージを表示部６１に表示させる。これにより、実行が中断された前記出力ジョブより後順位の前記出力ジョブ各々の実行の開始が遅れることを回避可能である。また、ユーザーは、ジョブリストＧ１１に含まれる前記出力ジョブ各々の実行が終了した後に、中断原因を除去して、中断された前記出力ジョブを画像処理装置１０に実行させることが可能である。
【００８４】
このように、前記画像出力処理では、前記選択操作によって選択された前記出力ジョブ各々が受付画面Ｇ１０における前記選択操作の受付順に実行される。従って、画像処理装置１０では、複数の前記出力ジョブが実行される場合におけるユーザーの操作の手間を軽減すると共に、複数の前記出力ジョブをユーザーの所望する順序で実行することが可能である。
【００８５】
また、前記画像出力処理では、前記選択操作によって選択された前記出力ジョブが受付順に列挙されるジョブリストＧ１１を含む受付画面Ｇ１０が表示されて、受付画面Ｇ１０上で前記選択操作が受け付けられる。そして、前記編集操作に応じて、ジョブリストＧ１１が編集される。これにより、ユーザーは、前記選択操作の後であっても、選択された前記出力ジョブの実行順序、及び前記実行条件を変更することが可能である。そのため、前記出力ジョブの実行順序、及び前記実行条件を前記選択操作後に変更できない構成と比較して、前記出力ジョブを順次実行する機能の使用性が向上する。
【００８６】
また、前記画像出力処理では、作成したジョブリストＧ１１を記憶部９に記憶させて再利用することが可能である。これにより、ジョブリストＧ１１を作成するユーザーの操作の手間が軽減される。
【符号の説明】
【００８７】
１    ＡＤＦ
２    画像読取部
３    画像形成部
４    給紙部
５    制御部
６    操作表示部
７    通信部
８    接続部
９    記憶部
１０  画像処理装置
５１  受付処理部
５２  編集処理部
５３  記憶処理部
５４  取得処理部
５５  設定処理部
５６  実行処理部
６１  表示部
６２  操作検出部
６３  ハードキー
８１  外部記憶装置
【図１】
2018074530.tif 000003
【図２】
2018074530.tif 000004
【図３】
2018074530.tif 000005
【図４】
2018074530.tif 000006
【図５】
2018074530.tif 000007